(57)【要約】      （修正有）【課題】ボウル部後方収納室にボウル部に洗浄水を供給する機能部材が収納される小便器装置において、給水管部内に空気が溜まる量を低減することができ、給水バルブ部が吐水部への洗浄水の供給を開始した場合の吐水音の発生を抑制することができ、さらに、吐水部から液垂れを生じることを防止することができる小便器装置を提供する。【解決手段】使用者の尿を受けるボウル部の上部且つ後方側において、ボウル部に洗浄水を供給する機能部材を収納するボウル部後方収納室をボウル部と一体に形成している小便器装置であって、ボウル部後方収納室内からボウル部の表側まで前向きに延びる吐水部２８と、給水バルブ部２６と、吐水部の入口部と、給水バルブ部とを接続する第１給水管部３２と、を有し、第１給水管部３２は、吐水部の入口部との接続部分４０が、上流側に向かって下り傾斜を形成している。【選択図】図４
2020037863.tif 000002
【特許請求の範囲】
【請求項１】
使用者の尿を受けるボウル部の上部且つ後方側において、前記ボウル部に洗浄水を供給する機能部材を収納するボウル部後方収納室をボウル部と一体に形成している小便器装置であって、
前記ボウル部の上部において、前記ボウル部後方収納室内から前記ボウル部の表側まで前向きに延び、洗浄水を吐水するための吐水部と、
給水源からの給水路が接続され、前記吐水部への洗浄水の供給及び停止を行う給水バルブ部と、
前記吐水部の入口部と、前記給水バルブ部とを接続する第１給水管部と、を有し、
前記給水バルブ部と、前記第１給水管部と、前記吐水部の入口部とが、前記ボウル部後方収納室内に収納され、前記第１給水管部は、前記吐水部の入口部との接続部分が、上流側に向かって下り傾斜を形成し、さらに、前記第１給水管部の最下端部分が、前記吐水部の入口部よりも低い位置に配置されていることを特徴とする小便器装置。
【請求項２】
前記第１給水管部は、その全部が前記吐水部の入口部よりも低い位置に配置されている、請求項１に記載の小便器装置。
【請求項３】
さらに、前記ボウル部後方収納室内に配置され、前記給水バルブ部の下流側部分から分岐した前記第１給水管部側の流路とは別の流路に接続される発電機ユニットと、
前記吐水部の入口部と、前記発電機ユニットとを接続する第２給水管部と、を有し、
前記第２給水管部は、前記吐水部の入口部との第２給水管接続部分が、上流側に向かって下り傾斜を形成し、前記第２給水管部の最下端部分が、前記吐水部の入口部よりも低い位置に配置されている、請求項１又は２に記載の小便器装置。
【請求項４】
前記第２給水管部は可撓性を有するように形成されている、請求項３に記載の小便器装置。
【請求項５】
前記第１給水管部は可撓性を有するように形成されている、請求項１乃至４の何れか１項に記載の小便器装置。
【発明の詳細な説明】
【技術分野】
【０００１】
本発明は、小便器装置に係り、特に、使用者の尿を受けるボウル部の上部且つ後方側において、ボウル部に洗浄水を供給する機能部材を収納するボウル部後方収納室をボウル部と一体に形成している小便器装置に関する。
【背景技術】
【０００２】
従来から、特許文献１に示されているように、ボウル部の天井部において、壁面から使用者側の前面まで突出するように設けられ、給水バルブ、止水栓、コントローラ、スプレッダ等の機能部を収納する収納室が形成されている小便器装置が知られている。このような小便器装置は、収納室の底面の奥側とボウル部の上部が接続され、スプレッダが収納室の底面の奥側から下向きに配置され、洗浄水をボウル部に吐水するようになっている。
【０００３】
このような小便器装置においては、ボウル部の天井部に収納室が設けられ、スプレッダが収納室の底面に設けられているため、収納室の前面に付着した汚れ等は、スプレッダから吐水された洗浄水で洗浄することができないという欠点がある。このような欠点を解決するために、特許文献２に示されているように、ボウル部を、収納室の下部にもうけられたサブタンクの前面まで形成して、スプレッダを収納室の下部のサブタンクの前面側のボウル部に配置することにより、スプレッダから吐水する水で、収納室の下部の前面側を洗浄しようとするものが知られている。
【先行技術文献】
【特許文献】
【０００４】
【特許文献１】特開２００３−２０７１０号公報
【特許文献２】特開２０１４−７０３７６号公報
【発明の概要】
【発明が解決しようとする課題】
【０００５】
しかしながら、小便器装置の上部に給水バルブ、止水栓、コントローラ、スプレッダ等の機能部を収納する収納室を形成できるスペースは限られており、特に、ボウル部の後方側に機能部全体を収納する収納室を形成しようとする場合には、上述の特許文献１及び２よりもさらに限定されたスペースに各機能部材を配置する必要がある。よって、ボウル部の後方側に形成される収納室内にスプレッダ、給水バルブ等を収納しようとする場合に、機能部全体を小型化し、これらの部材の高さの位置関係を近く配置する必要がある。
【０００６】
このとき、スプレッダと、給水バルブ等を比較的近い位置に配置する場合、小便器洗浄を終了するために、給水バルブを閉止した後、給水バルブより下流側の給水管に残っている残水がスプレッダから流出され、この残水の流出と共に、空気がスプレッダから給水バルブまでの給水管内に流入するという現象が生じやすくなる。
【０００７】
空気がスプレッダと給水バルブとの間の給水管内に比較的多く溜まってしまう場合、各回の小便器の洗浄のため給水バルブを開いて吐水を開始する際に、給水管内に溜まっていた空気が新たに給水バルブから供給される洗浄水と混合され、水と空気が混じりあった状態で吐水部から吐水される際の吐水音（例えば、ゴボゴボ等の異音）が発生するという問題が生じていた。
また、給水バルブが閉弁されるとき、空気の流入とともに、残水が給水管内からスプレッダを通ってボウル部に徐々に流出し、スプレッダからの洗浄水の液垂れを生じさせるという問題も生じていた。
【０００８】
また、小便器の洗浄のため給水バルブが開弁される際に、スプレッダの吐水口の開口断面が小さいために空気がすぐに抜けにくく、新たに供給される洗浄水により給水管内に溜まっていた空気が圧縮される。従って、圧縮された空気と混ざり合っている洗浄水がスプレッダの吐水口から一緒に排出されることとなる。この際に、これらの空気混じりの洗浄水が急激に大気開放されるため、圧縮された空気がスプレッダの吐水口から出た瞬間に爆発的に広がる。その爆発的な広がりによって洗浄水も飛び散ってしまい水跳ねが生じるという問題が生じていた。
【０００９】
そこで、本発明は、従来技術の欠点を解決するためになされたものであり、ボウル部後方収納室にボウル部に洗浄水を供給する機能部材が収納される小便器装置において、給水管部内に空気が溜まる量を低減することができ、給水バルブ部が吐水部への洗浄水の供給を開始した場合に、給水管部内の洗浄水及び溜まっていた空気が吐水部から混じりあった状態で吐水されることによる吐水音の発生を抑制することができ、さらにまた、給水バルブ部が吐水部への洗浄水の供給を停止した後に、給水管部内の洗浄水が吐水部に徐々に流れて、吐水部から液垂れを生じることを防止することができる小便器装置を提供することを目的としている。
【課題を解決するための手段】
【００１０】
上記の目的を達成するために、本発明は、使用者の尿を受けるボウル部の上部且つ後方側において、ボウル部に洗浄水を供給する機能部材を収納するボウル部後方収納室をボウル部と一体に形成している小便器装置であって、ボウル部の上部において、ボウル部後方収納室内からボウル部の表側まで前向きに延び、洗浄水を吐水するための吐水部と、給水源からの給水路が接続され、吐水部への洗浄水の供給及び停止を行う給水バルブ部と、吐水部の入口部と、給水バルブ部とを接続する第１給水管部と、を有し、給水バルブ部と、第１給水管部と、吐水部の入口部とが、ボウル部後方収納室内に収納され、第１給水管部は、吐水部の入口部との接続部分が、上流側に向かって下り傾斜を形成し、さらに、第１給水管部の最下端部分が、吐水部の入口部よりも低い位置に配置されていることを特徴としている。
このように構成された本発明においては、ボウル部後方収納室にボウル部に洗浄水を供給する機能部材が収納される小便器装置において、給水バルブ部が吐水部への洗浄水の供給を停止した後に、第１給水管部の、吐水部の入口部から上流側に向かって下り傾斜を形成している接続部分において、洗浄水を溜めて、空気の流入を防ぐ残水面を形成でき、第１給水管部内に空気が溜まる量を低減することができる。
従って、第１給水管部内に空気が溜まることを抑制できるので、給水バルブ部が吐水部への洗浄水の供給を開始した場合に、第１給水管部内の洗浄水及び溜まっていた空気が吐水部から混じりあった状態で吐水されることによる吐水音の発生を抑制することができる。
また、給水バルブ部が吐水部への洗浄水の供給を停止した後に、第１給水管部内の洗浄水が吐水部に徐々に流れて、吐水部から液垂れを生じることを防止することができる。
【００１１】
本発明において、好ましくは、第１給水管部は、その全部が吐水部の入口部よりも低い位置に配置されている。
このように構成された本発明においては、給水バルブ部が吐水部への洗浄水の供給を停止した後に、第１給水管部が、吐水部の入口部よりも低い位置に配置されている第１給水管部の全部において洗浄水を溜めて、第１給水管部内に空気が溜まる量をさらに低減することができる。
従って、第１給水管部内に空気が溜まる量をさらに抑制できるので、給水バルブ部が吐水部への洗浄水の供給を開始した場合に、第１給水管部内の洗浄水及び溜まっていた空気が吐水部から混じりあった状態で吐水されることによる吐水音の発生を抑制することができる。
また、給水バルブ部が吐水部への洗浄水の供給を停止した後に、第１給水管部内の洗浄水が吐水部に徐々に流れて、吐水部から液垂れを生じることを防止することができる。
【００１２】
本発明において、好ましくは、さらに、ボウル部後方収納室内に配置され、給水バルブ部の下流側部分から分岐した第１給水管部側の流路とは別の流路に接続される発電機ユニットと、吐水部の入口部と、発電機ユニットとを接続する第２給水管部と、を有し、第２給水管部は、吐水部の入口部との第２給水管接続部分が、上流側に向かって下り傾斜を形成し、第２給水管部の最下端部分が、吐水部の入口部よりも低い位置に配置されている。
このように構成された本発明においては、給水バルブ部が吐水部への洗浄水の供給を停止した後に、第２給水管部が、吐水部の入口部から上流側に向かって下り傾斜を形成している第２給水管接続部分において、洗浄水を溜めて、空気の流入を防ぐ残水面を形成でき、第２給水管部内に空気が溜まる量を低減することができる。
従って、第２給水管部内に空気が溜まることを抑制できるので、給水バルブ部が吐水部への洗浄水の供給を開始した場合に、第２給水管部内の洗浄水及び溜まっていた空気が吐水部から混じりあった状態で吐水されることによる吐水音の発生を抑制することができる。
また、給水バルブ部が吐水部への洗浄水の供給を停止した後に、第２給水管部内の洗浄水が吐水部に徐々に流れて、吐水部から液垂れを生じることを防止することができる。
【００１３】
本発明において、好ましくは、第２給水管部は可撓性を有するように形成されている。
このように構成された本発明においては、施工の際等に、第２給水管部を、吐水部の入口部及び給水バルブ部と接続することを容易に行うことができる。
【００１４】
本発明において、好ましくは、第１給水管部は可撓性を有するように形成されている。
このように構成された本発明においては、施工の際等に、第１給水管部を、吐水部の入口部及び給水バルブ部と接続することを容易に行うことができる。
【発明の効果】
【００１５】
本発明の小便器装置によれば、ボウル部後方収納室にボウル部に洗浄水を供給する機能部材が収納される小便器装置において、給水管部内に空気が溜まる量を低減することができ、給水バルブ部が吐水部への洗浄水の供給を開始した場合に、給水管部内の洗浄水及び溜まっていた空気が吐水部から混じりあった状態で吐水されることによる吐水音の発生を抑制することができ、さらにまた、給水バルブ部が吐水部への洗浄水の供給を停止した後に、給水管部内の洗浄水が吐水部に徐々に流れて、吐水部から液垂れを生じることを防止することができる。
【図面の簡単な説明】
【００１６】
【図１】本発明の第１実施形態による小便器装置を示す正面図である。
【図２】図１のＩＩ−ＩＩ線に沿って見た本発明の第１実施形態による小便器装置の便器本体の側面断面図である。
【図３】本発明の第１実施形態による小便器装置の便器本体に内蔵されている自動洗浄ユニットについて上蓋を取り外した状態で斜め前方から見た斜視図である。
【図４】本発明の第１実施形態による小便器装置の便器本体に内蔵されている自動洗浄ユニットの正面図である。
【図５】図４のＶ−Ｖ線に沿って見た本発明の第１実施形態による小便器装置の自動洗浄ユニットのスプレッダの側面断面図である。
【図６】本発明の第２実施形態による小便器装置の便器本体に内蔵されている自動洗浄ユニットについて上蓋を取り外した状態で斜め前方から見た斜視図である。
【図７】本発明の第２実施形態による小便器装置の便器本体に内蔵されている自動洗浄ユニットの正面図である。
【図８】本発明の第２実施形態による小便器装置の便器本体に内蔵されている自動洗浄ユニットを斜め後方から見た斜視図である。
【図９】図７のＩＸ−ＩＸ線に沿って見た本発明の第２実施形態による小便器装置の自動洗浄ユニットのスプレッダの側面断面図である。
【発明を実施するための形態】
【００１７】
添付図面を参照して、本発明の第１実施形態による小便器装置を説明する。先ず、図１及び図２により小便器の基本構造を説明する。図１は、本発明の第１実施形態による小便器装置を示す正面図であり、図２は、図１のＩＩ−ＩＩ線に沿って見た本発明の第１実施形態による小便器装置の便器本体の側面断面図である。
【００１８】
図１及び図２に示すように、符号１は、本発明の第１実施形態による小便器装置を示し、この小便器装置１は、背後の壁面Ｗに取付けられる壁掛け式の小便器装置であり、陶器製の便器本体２を備えており、この便器本体２は、その背後の壁面Ｗに取付けられた状態で便器本体２の最下部が床面Ｆよりも上方に位置している。また、小便器装置１は、便器本体２を洗浄するための洗浄水を吐水する吐水機能を備えた機能部である自動洗浄ユニット４を備えている。
なお、本実施形態の小便器装置１については、便器本体２の最下部が床面Ｆよりも上方に位置するように背後の壁面Ｗに取付けられる壁掛け式の小便器装置の例について説明するが、便器本体２の最下部が床面上に直接配置される床置き式の小便器装置であってもよい。以下、小便器装置１の正面側を前方側、その背面側を後方側（奥側）、小便器装置１の正面から見て左側を左側、小便器装置１の正面から見て右側を右側として説明する。
【００１９】
つぎに、図２に示すように、便器本体２は、正面側に形成されるボウル部６と、このボウル部６の底部に形成された排水口部８を備えている。この排水口部８の下方には、排水口８ａが形成されている。
また、図２に示すように、ボウル部６は、その上端から下部に亘って下方ほど内側且つ奥行側（後方側）に位置するボウル面６ａを形成している。そして、このボウル面６ａの上下方向の中央付近から下方に形成されるボウル面下部６ｂは、後方側に向かって緩やかに湾曲状に張り出すような湾曲面を形成し、その下方且つ前方側の排水口部８まで延びた後、この排水口部８から排水口８ａに向かって緩やかな下り傾斜するように形成している。このようなボウル面下部６ｂにより、ボウル部６内の奥行空間が後方側に奥まっており、前後方向に広くなっている。そして、ボウル部６は、正面側壁部７の上端面７ｂからボウル面下部６ｂの上方のボウル面６ａを経てボウル面下部６ｂに亘って連続した曲面形状となっている。すなわち、正面側壁部７の上端面７ｂが便器本体２の頂部まで形成されている。
さらに、便器本体２のボウル部６のボウル面６ａを正面側に形成する正面側壁部７の背面側（裏側）且つ上方には、自動洗浄ユニット４が概ね収納されるボウル部後方収納室２０が形成されている。このボウル部後方収納室２０の上方には、上蓋１０が便器本体２に対して上方から着脱可能に取り付けられている。ボウル部後方収納室２０は、ボウル面６ａと壁面Ｗとの間に形成される収納室である。
【００２０】
つぎに、便器本体２は、排水口８ａの下方に設けられた排水トラップ部１２と、排水口８ａに上方から取り付けられてボウル部６内と排水トラップ部１２内とを連通させる目皿１３を備えており、この排水トラップ部１２は、排水口８ａよりも下方（下流側）に溜水ｗ０を貯留して封水を形成するようになっている。
また、図２に示すように、排水トラップ部１２は、上端に位置する排水口８ａから下方に延びる下降管路１２ａと、この下降管路１２ａの下端から後方側に湾曲するように形成された後、その後上方に向かって湾曲するように形成される横引き管路１２ｂと、この横引き管路１２ｂの上端から後方側の斜め上方に延びるように形成された上昇管路１２ｃを備えている。
さらに、図２に示すように、便器本体２は、排水トラップ部１２の上昇管路１２ｃの後方側（下流側）に設けられ且つその後端（下流側端部）が排水ソケット１４を介して便器本体２の外部の排水配管１６に接続される接続部１８を備えている。
なお、本実施形態では、排水ソケット１４については省略し、接続部１８の後端と排水配管１６とを直接的に接続するようにしてもよい。
【００２１】
次に、図１乃至図５を参照して、本発明の第１実施形態による小便器装置１の便器本体２においてボウル部６と一体に形成されているボウル部後方収納室２０と、ボウル部後方収納室２０内の比較的小さな空間に内蔵される自動洗浄ユニット４とについて説明する。
図３は、本発明の第１実施形態による小便器装置の便器本体に内蔵されている自動洗浄ユニットについて上蓋を取り外した状態で斜め前方から見た斜視図であり、図４は本発明の第１実施形態による小便器装置の便器本体に内蔵されている自動洗浄ユニットの正面図であり、図５は図４のＶ−Ｖ線に沿って見た本発明の第１実施形態による小便器装置の自動洗浄ユニットのスプレッダの側面断面図である。
【００２２】
ボウル部後方収納室２０は、使用者の尿を受けるボウル部６のさらに上方側に配置されるのではなく、使用者の尿を受けるボウル部６の正面側壁部７の後方側（裏側）において、ボウル部６に洗浄水を供給する機能部材を正面側壁部７の裏側に隠れるように収納するように形成されている。このように、ボウル部後方収納室２０は、ボウル部６と、背後の壁面Ｗとの間の隙間に形成された比較的狭い領域において、小便器装置１の洗浄動作に必要な自動洗浄ユニット４（機能部材）を収納できるようにコンパクトに形成されている。このようなボウル部後方収納室２０の前面は、正面側壁部７によって形成されている。正面側壁部７は、自身の上部に対して自身の下部が後方側に位置しており、やや下方向きの傾きを有している。
【００２３】
ボウル部後方収納室２０に収納される自動洗浄ユニット４は、水道等の給水源から洗浄水を供給する一次側給水管２２と、一次側給水管２２を止水する止水栓２４と、止水栓２４の下流側に設けられて一次側給水管２２を開閉する給水バルブユニット２６と、ボウル部６の上部の正面側壁部７に配置され給水バルブユニット２６から供給される洗浄水をボウル部６に吐水する吐水部であるスプレッダ（給水手段）２８と、スプレッダ２８の入口部３０と給水バルブユニット２６とを接続する第１給水管部３２とを備えている。
【００２４】
給水バルブユニット２６は、一次側給水管２２と二次側の給水管との間の流路を電気的に開閉できる電磁弁２９と、電磁弁から下方に延びる二次側流路３１とを有している。二次側流路３１は、後述する大気開放側の第１給水管部３２及びスプレッダ２８と連通している。
給水バルブユニット２６は、ボウル部後方収納室２０の比較的小さく限られた空間の中で、スプレッダ２８の後方側且つ右側にずれた位置に配置されている。電磁弁２９は、スプレッダ２８の高さとほぼ同様の高さに配置されている。二次側流路３１は、電磁弁２９から下方に延び、給水バルブユニット２６の二次側流路３１と第１給水管部３２との接続部が入口部３０の高さより低い位置に配置されている。電磁弁２９は、スプレッダ２８と比較的近い位置に配置されているが、二次側流路３１は電磁弁２９と、スプレッダ２８とを結ぶ最短距離の方向に延びておらず、下方に向かって延びている。
なお、本実施形態においては、給水バルブユニット２６の電磁弁２９は、スプレッダ２８の高さとほぼ同様の高さに配置されているが、スプレッダ２８の高さより低い高さに配置されていてもよく、また、スプレッダ２８の高さより高い高さに配置されていてもよい。
【００２５】
スプレッダ２８は、ボウル部後方収納室２０内に配置される洗浄水の入口部３０と、ボウル部６の正面側壁部７の裏側から表側まで直線的に延びている供給通路３３と、供給通路３３から供給される洗浄水をボウル部６の表面に沿わせ且つ拡散するように吐水する吐水口部３４と、を備えている。
また、スプレッダ２８には、ボウル部６の前面に向けられ、使用者の有無を検知する人体検知センサ３６が取付けられている。
【００２６】
自動洗浄ユニット４は、さらに、人体検知センサ３６からの検知信号及び所定の制御プログラム等に基づいて給水バルブユニット２６等を電気的に制御することができる制御ユニット３８を備えている。
制御ユニット３８は、人体検知センサ３６からの検知信号及び所定の制御プログラム等に基づいて、給水バルブユニット２６を開閉制御し、洗浄水をスプレッダ２８からボウル部６に吐水させるようになっている。制御ユニット３８も、ボウル部後方収納室２０の比較的小さく限られた空間内に収納されている。
【００２７】
第１給水管部３２は、スプレッダ２８の入口部３０と給水バルブユニット２６との間で、スプレッダ２８の入口部３０の高さより低い高さの流路を少なくとも一部有している。より具体的には、入口部３０と電磁弁２９との間で、スプレッダ２８の入口部３０の高さより低い高さの流路を少なくとも一部有している。なお、給水バルブユニット２６の電磁弁２９は、入口部３０より高い位置に配置されていてもよく、その場合には、第１給水管部３２は、入口部３０より高い位置に配置された給水バルブユニット２６まで接続され、このとき、第１給水管部３２は、入口部３０と電磁弁２９との間で、スプレッダ２８の入口部３０の高さより低い高さの流路を少なくとも一部有するように形成される。
【００２８】
第１給水管部３２は、スプレッダ２８の入口部３０と接続され、スプレッダ２８の入口部３０から上流側（給水バルブユニット２６側）に向かって下り傾斜の流路を形成している第１給水管接続部分４０と、第１給水管部３２の最下端部分の流路を形成している最下端部分４２と、を有している。第１給水管部３２の最下端部分４２は、スプレッダ２８の入口部３０よりも低い位置に配置されている。さらに、第１給水管部３２の最下端部分４２は、給水バルブユニット２６よりも低い位置に配置されている。
【００２９】
第１給水管部３２は、接続される入口部３０のすぐ上流側近傍から下降する流路を形成しているので、電磁弁２９からの洗浄水の供給が停止されるとき、スプレッダ２８の入口部３０より上流側に存在する洗浄水は、そのまま第１給水管部３２内に貯水された状態となる。すなわち、便器本体２への吐水が停止された状態で、洗浄水が、第１給水管部３２内において、スプレッダ２８の入口部３０の高さの水平な面より下方に溜まっている状態となる。このように、第１給水管部３２は、給水バルブユニット２６と、スプレッダ２８の入口部３０との間において、給水バルブユニット２６の閉止後に、入口部３０の直前の上流側に、空気の流入を防ぐ残水ｗ１の貯水面を形成できる貯水部４４を形成している。すなわち、入口部３０の直前において、入口部３０の底の高さの水面が形成される。よって、空気がスプレッダ２８の外部から第１給水管部３２内に流入し、空気が第１給水管部３２内に溜まることを抑制することができる。他の言い方によれば、第１給水管部３２の残水ｗ１の貯水面より上流側を水で満たすことができる。
【００３０】
第１給水管部３２は、例えばホース、可撓性のゴム管等の部材により可撓性を有するように形成され、入口部３０から給水バルブユニット２６まで湾曲しながら延びている。第１給水管部３２は、直線部を有していてもよいし、全て曲線部により形成されていてもよい。第１給水管部３２の流路形状は自在に変更することができる。本実施形態においては、第１給水管部３２は、その全部がスプレッダ２８の入口部３０よりも低い位置に配置されている。
【００３１】
なお、従来においては、特許文献２に示すように、スプレッダを下方向きに形成されているボウル面に配置しようとする場合、スプレッダに接続される給水管を、ボウル面に対して垂直に後方上方に向かって形成し、洗浄水が給水管において滑らかに加速しながらスプレッダに対して流下し、スプレッダから広げられるように吐水されるようになっていた。
これに対し、本発明においては、下方向きに傾斜されている正面側壁部７に沿って吐水できるように配置されているスプレッダ２８に対し、第１給水管部３２を、下方から上昇させながら接続し、スプレッダ２８の入口部３０から上流側に向かって下降する流路を形成している。従って、本発明においては、スプレッダ２８の入口部３０の近傍まで、上述するように残水を溜めることができるようになっている。
【００３２】
次に、図１乃至図５により、本発明の第１実施形態による動作（作用）について説明する。
待機状態において、通常、使用者が放尿するために便器本体２の前に立つとき、人体検知センサ３６が使用者の存在を検出して検出情報を制御ユニット３８に送り、制御ユニット３８は使用者の存在を認識する。図４に示すように、使用者が放尿する前の待機状態においては第１給水管部３２内には洗浄水がスプレッダ２８の入口部３０の高さまで残水ｗ１として存在している状態になっている。
使用者が便器本体２のボウル部６に放尿を行うとき、尿がボウル部６から排水トラップ部１２内に流れ込む。
【００３３】
使用者が便器本体２のボウル部６に放尿を終え、放尿を済ませた使用者が便器本体２の前から立ち去るときに、人体検知センサ３６が使用者の存在を検出しなくなる状態に変化する。人体検知センサ３６が一定時間以上の間検出状態を継続した後に非検出状態に変わると、制御ユニット３８は使用者が便器本体２から立ち去ったと認識して、小便洗浄動作を開始する。
【００３４】
制御ユニット３８は、給水バルブユニット２６に制御信号を送って給水バルブユニット２６を開き、先に決定した量の洗浄水をスプレッダ２８からボウル部６に吐水させる。このとき、給水バルブユニット２６が開かれる前の状態において、すでに、洗浄水が、第１給水管部３２内の第１給水管接続部分４０に、スプレッダ２８の入口部３０の高さまで溜まった状態となり貯水部４４を形成している状態となっている。従って、給水バルブユニット２６が開かれたときに、入口部３０につながる第１給水管部３２に空気が溜まっていない又は溜まっている空気量が低減された状態となっている。よって、給水バルブユニット２６がスプレッダ２８への洗浄水の供給を開始した場合に、スプレッダ２８から洗浄水及び第１給水管部３２内に溜まっていた空気が混じりあった状態で吐水されることによる吐水音（例えば、ゴボゴボ等の異音）の発生を抑制することができる。
【００３５】
洗浄水は、スプレッダ２８からボウル部６に吐水され、ボウル部６を洗浄し且つ排水トラップ部１２内の尿を排出する。制御ユニット３８は、予め決められた所定時間にわたって給水バルブユニット２６を開弁し、予め決められた所定量の洗浄水をスプレッダ２８から吐水させる。制御ユニット３８は、所定時間経過後、給水バルブユニット２６を閉弁し、小便洗浄動作を終了させる。給水バルブユニット２６が閉弁されると、洗浄水の吐水が終了されて待機状態に戻る。
【００３６】
給水バルブユニット２６が閉弁されると、第１給水管部３２内における洗浄水は、スプレッダ２８の入口部３０よりも低い位置に溜まった状態（残水ｗ１に示すような、残水の存在している状態）となる。すなわち、洗浄水が、第１給水管部３２内の第１給水管接続部分４０に、スプレッダ２８の入口部３０の高さまで溜まった状態となり貯水部４４を形成している状態となる。従って、第１給水管部３２内が大気開放されて第１給水管部３２内に空気が多く溜まった状態となることを防ぐことができる。第１給水管部３２内においては、入口部３０につながる第１給水管部３２に空気が溜まっていない又は溜まっている量が低減された状態となっており、第１給水管部３２内に溜まる空気の量が低減されている。
従って、各回の小便器洗浄動作のために、給水バルブユニット２６が閉止状態から開かれるときには、入口部３０につながる第１給水管部３２に空気が溜まっていない又は溜まっている量が低減された状態となる。よって、各回（毎回）に、給水バルブユニット２６がスプレッダ２８への洗浄水の供給を開始した場合に、第１給水管部３２内において空気が圧縮されて洗浄水と混合され、スプレッダ２８から洗浄水及び空気とが混じりあった状態で吐水されることによる吐水音（例えば、ゴボゴボ等の異音）の発生を抑制することができる。
【００３７】
また、第１給水管接続部分４０が入口部３０から上流側に向かって下降する流路を形成しているので、給水バルブユニット２６が閉弁されたとき、第１給水管部３２内に存在する洗浄水が、入口部３０から上流側において貯水された状態となる。従って、洗浄水が、スプレッダ２８の入口部３０から徐々に流出して吐水口部３４からの液垂れを生じさせることを防ぐことができる。
【００３８】
また、小便器洗浄動作を開始するために、給水バルブユニット２６がスプレッダ２８への洗浄水の供給を開始した場合に、第１給水管部３２内に溜まっていた空気が圧縮されて、圧縮された空気と洗浄水とが混じりあった状態でスプレッダ２８から吐水されることを防ぐことができ、圧縮された空気がスプレッダ２８から出た瞬間に爆発的に広がり、その爆発的な広がりよって洗浄水が飛び散って水跳ねが生じることを防ぐことができる。
【００３９】
なお、使用者が小便器装置１を使用した後に小便器装置を洗浄する小便器洗浄動作のみならず、制御ユニット３８が、自らの判断に基づいて行うような排水管等の設備を保護するための設備保護洗浄動作においても、給水バルブユニット２６が閉弁されたとき、同様に、第１給水管部３２内に存在する洗浄水が、スプレッダ２８の入口部３０よりも低い位置に溜まった状態とされる。
【００４０】
次に、上述した本発明の第１実施形態による小便器装置１の作用効果を説明する。
上述した本発明の第１実施形態による小便器装置１によれば、ボウル部後方収納室２０にボウル部６に洗浄水を供給する自動洗浄ユニット４が収納される小便器装置１において、給水バルブユニット２６がスプレッダ２８への洗浄水の供給を停止した後に、第１給水管部３２の、スプレッダ２８の入口部３０から上流側に向かって下り傾斜を形成している第１給水管接続部分４０において、洗浄水を溜めて、空気の流入を防ぐ残水ｗ１の残水面を形成でき、第１給水管部３２内に空気が溜まる量を低減することができる。
従って、第１給水管部３２内に空気が溜まることを抑制できるので、給水バルブユニット２６がスプレッダ２８への洗浄水の供給を開始した場合に、第１給水管部３２内の洗浄水及び溜まっていた空気がスプレッダ２８から混じりあった状態で吐水されることによる吐水音の発生を抑制することができる。
また、給水バルブユニット２６がスプレッダ２８への洗浄水の供給を停止した後に、第１給水管部３２内の洗浄水がスプレッダ２８に徐々に流れて、スプレッダ２８から液垂れを生じることを防止することができる。
【００４１】
本発明の第１実施形態による小便器装置１によれば、給水バルブユニット２６がスプレッダ２８への洗浄水の供給を停止した後に、第１給水管部３２が、スプレッダ２８の入口部３０よりも低い位置に配置されている第１給水管部３２の全部において洗浄水を溜めて、第１給水管部３２内に空気が溜まる量をさらに低減することができる。
従って、第１給水管部３２内に空気が溜まる量をさらに抑制できるので、給水バルブユニット２６がスプレッダ２８への洗浄水の供給を開始した場合に、第１給水管部３２内の洗浄水及び溜まっていた空気がスプレッダ２８から混じりあった状態で吐水されることによる吐水音の発生を抑制することができる。
また、給水バルブユニット２６がスプレッダ２８への洗浄水の供給を停止した後に、第１給水管部３２内の洗浄水がスプレッダ２８に徐々に流れて、スプレッダ２８から液垂れを生じることを防止することができる。
【００４２】
本発明の第１実施形態による小便器装置１によれば、施工の際等に、第１給水管部３２を、スプレッダ２８の入口部３０及び給水バルブユニット２６と接続することを容易に行うことができる。
【００４３】
次に、図６乃至図９を参照して、本発明の第２実施形態による小便器装置について説明する。本実施形態の小便器装置は、発電機ユニット及び発電機ユニットのための流路が上述した第１実施形態とは異なる。ここでは、本発明の第２実施形態の第１実施形態とは異なる点のみを説明し、同様な部分については図面に同じ参照符号を付して説明を省略する。
【００４４】
図６は、本発明の第２実施形態による小便器装置の便器本体に内蔵されている自動洗浄ユニットについて上蓋を取り外した状態で斜め前方から見た斜視図であり、図７は本発明の第２実施形態による小便器装置の便器本体に内蔵されている自動洗浄ユニットの正面図であり、図８は本発明の第２実施形態による小便器装置の便器本体に内蔵されている自動洗浄ユニットを斜め後方から見た斜視図であり、図９は図７のＩＸ−ＩＸ線に沿って見た本発明の第２実施形態による小便器装置の自動洗浄ユニットのスプレッダの側面断面図である。
【００４５】
本発明の第２実施形態による小便器装置１０１において、ボウル部後方収納室２０に収納される自動洗浄ユニット１０４は、水道等の給水源から洗浄水を供給する一次側給水管２２と、一次側給水管２２を止水する止水栓２４と、止水栓２４の下流側に設けられて一次側給水管２２を開閉する給水バルブユニット１２６と、ボウル部６の上部の正面側壁部７に配置され給水バルブユニット１２６から供給される洗浄水をボウル部６に吐水する吐水部であるスプレッダ（給水手段）２８と、スプレッダ２８の入口部３０と給水バルブユニット１２６とを接続する第１給水管部３２と、ボウル部後方収納室２０内に配置され、給水バルブユニット１２６の二次側流路１３１から第１給水管部３２側の流路とは分岐した別の流路に接続される発電機ユニット１４６と、スプレッダ２８の入口部１３０と、発電機ユニット１４６とを接続する第２給水管部１４８と、を有している。
【００４６】
スプレッダ２８は、ボウル部後方収納室２０内に配置される洗浄水の入口部１３０を備えている。入口部１３０には、第１給水管部３２が側方下方から接続され、第２給水管部１４８が後方下方から接続されるようになっている。
【００４７】
給水バルブユニット１２６は、一次側給水管２２と二次側の給水管との間の流路を電気的に開閉できる電磁弁２９と、電磁弁２９から下方に延びる二次側流路１３１とを有している。給水バルブユニット１２６は、給水バルブユニット１２６の二次側流路１３１において流路が分岐する分岐部１３３を有し、分岐した流路がそれぞれ、第１給水管部３２と、発電機ユニット１４６とに接続されている。すなわち、二次側流路１３１は、一方が、後述する大気開放側の第１給水管部３２及びスプレッダ２８と連通し、他方が、大気開放側の発電機ユニット１４６と接続されている。二次側流路１３１は、電磁弁２９から下方に延び、給水バルブユニット１２６の二次側流路１３１と第１給水管部３２との接続部、及び、二次側流路１３１と発電機ユニット１４６との接続部が入口部１３０の高さより低い位置に配置されている。
【００４８】
発電機ユニット１４６は、内部に発電用の羽根車（図示せず）を有し、流路内を通過する水流により羽根車を回転させて電気を発電するようになっている。発電機ユニット１４６は、発電した電気を電磁弁２９、制御ユニット３８、人体検知センサ３６等に供給する。電磁弁２９、制御ユニット３８、人体検知センサ３６等は、この供給された電気により動作することができる。
【００４９】
第２給水管部１４８は、スプレッダ２８の入口部１３０と給水バルブユニット１２６との間で、スプレッダ２８の入口部１３０の高さより低い高さの流路を少なくとも一部有している。より具体的には、入口部１３０と電磁弁２９との間で、スプレッダ２８の入口部１３０の高さより低い高さの流路を少なくとも一部有している。なお、給水バルブユニット１２６の電磁弁２９は、入口部１３０より高い位置に配置されていてもよく、その場合には、第２給水管部１４８は、入口部１３０より高い位置に配置された給水バルブユニット１２６まで接続され、このとき、第２給水管部１４８は、入口部１３０と電磁弁２９との間で、スプレッダ２８の入口部１３０の高さより低い高さの流路を少なくとも一部有するように形成される。
【００５０】
第２給水管部１４８は、スプレッダ２８の入口部１３０と発電機ユニット１４６とを接続し、スプレッダ２８の入口部１３０から上流側（発電機ユニット１４６側）に向かって下り傾斜の流路を形成している第２給水管接続部分１５０と、第２給水管部１４８の最下端部分の流路を形成している最下端部分１５２と、を有している。第２給水管部１４８の最下端部分１５２は、スプレッダ２８の入口部１３０よりも低い位置に配置されている。さらに、第２給水管部１４８の最下端部分１５２は、給水バルブユニット１２６よりも低い位置に配置されている。
【００５１】
第２給水管部１４８は、接続される入口部１３０のすぐ上流側近傍から下降する流路を形成しているので、電磁弁２９からの洗浄水の供給が停止されるとき、スプレッダ２８の入口部１３０より上流側に存在する洗浄水は、そのまま第２給水管部１４８内に貯水された状態となる。すなわち、小便器装置１０１の吐水が停止された状態で、洗浄水が、第２給水管部１４８内において、スプレッダ２８の入口部１３０の高さの水平な面より下方に溜まっている状態となる。このように、第２給水管部１４８は、発電機ユニット１４６と、スプレッダ２８の入口部１３０との間において、給水バルブユニット１２６の閉止後に、入口部１３０の直前の上流側に、空気の流入を防ぐ残水ｗ２の貯水面を形成できる貯水部１５４を形成している。よって、入口部１３０の近傍において、第２給水管部１４８内に、空気が流入する又は溜まることを抑制することができる。
【００５２】
第２給水管部１４８は、可撓性を有するように形成され、入口部１３０から発電機ユニット１４６まで湾曲しながら延びている。第２給水管部１４８の流路形状は自在に変更することができる。本実施形態においては、第２給水管部１４８は、その全部がスプレッダ２８の入口部１３０よりも低い位置に配置されている。
【００５３】
次に、図６乃至図９により、本発明の第２実施形態による小便器装置の動作（作用）について説明する。ここでは、本発明の第２実施形態の第１実施形態とは異なる点のみを説明し、同様な部分については図面に同じ参照符号を付して説明を省略する。
【００５４】
図６乃至図９に示すように、使用者が放尿する前の待機状態においては第１給水管部３２内には洗浄水がスプレッダ２８の入口部１３０の高さまで残水ｗ１として存在している状態になっており、第２給水管部１４８内には洗浄水がスプレッダ２８の入口部１３０の高さまで残水ｗ２として存在している状態になっている。
【００５５】
使用者が便器本体２のボウル部６に放尿を終え、放尿を済ませた使用者が便器本体２の前から立ち去った一定の場合に、制御ユニット３８は使用者が便器本体２から立ち去ったと認識して、小便洗浄動作を開始する。
【００５６】
制御ユニット３８は、給水バルブユニット１２６に制御信号を送って給水バルブユニット１２６の電磁弁２９を開き、先に決定した量の洗浄水をスプレッダ２８からボウル部６に吐水させる。
このとき、電磁弁２９が開かれる前の状態において、すでに、洗浄水が、第１給水管部３２内の第１給水管接続部分４０において、スプレッダ２８の入口部１３０の高さまで溜まった状態となり貯水部４４を形成している状態となっている。また、洗浄水が、第２給水管部１４８内の第２給水管接続部分１５０において、スプレッダ２８の入口部１３０の高さまで溜まった状態となり貯水部４４を形成している状態となっている。従って、入口部１３０につながる第１給水管部３２及び第２給水管部１４８のいずれにも空気が溜まっていない又は溜まっている量が低減された状態となっている。
よって、給水バルブユニット１２６がスプレッダ２８への洗浄水の供給を開始した場合に、スプレッダ２８から洗浄水及び第１給水管部３２内及び第２給水管部１４８内に溜まっていた空気が混じりあった状態で吐水されることによる吐水音（例えば、ゴボゴボ等の異音）の発生を抑制することができる。
【００５７】
制御ユニット３８は、予め決められた所定時間にわたって給水バルブユニット１２６を開弁し、予め決められた所定量の洗浄水をスプレッダ２８から吐水させる。制御ユニット３８は、所定時間経過後、給水バルブユニット１２６を閉弁し、小便洗浄動作を終了させる。給水バルブユニット１２６が閉弁されると、洗浄水の吐水が終了されて待機状態に戻る。
【００５８】
給水バルブユニット１２６が閉弁されると、第１給水管部３２内における洗浄水は、スプレッダ２８の入口部１３０よりも低い位置に溜まった状態（残水ｗ１に示すような、残水の存在している状態）となる。すなわち、洗浄水が、第１給水管部３２内の第１給水管接続部分４０に、スプレッダ２８の入口部１３０の高さまで溜まった状態となり貯水部４４を形成している状態となる。従って、第１給水管部３２内が大気開放されて第１給水管部３２内に空気が多く溜まった状態となることを防ぐことができる。第１給水管部３２内においては、入口部１３０につながる第１給水管部３２に空気が溜まっていない又は溜まっている量が低減された状態となっており、第１給水管部３２内に溜まる空気の量が低減されている。
また、第２給水管部１４８内における洗浄水は、スプレッダ２８の入口部１３０よりも低い位置に溜まった状態（残水ｗ２に示すような、残水の存在している状態）となる。すなわち、洗浄水が、第２給水管部１４８内の第２給水管接続部分１５０に、スプレッダ２８の入口部１３０の高さまで溜まった状態となり貯水部１５４を形成している状態となる。従って、第２給水管部１４８内が大気開放されて第２給水管部１４８内に空気が多く溜まった状態となることを防ぐことができる。第２給水管部１４８内においては、入口部１３０につながる第２給水管部１４８に空気が溜まっていない又は溜まっている量が低減された状態となっており、第２給水管部１４８内に溜まる空気の量が低減されている。
【００５９】
従って、各回の小便器洗浄動作のために、給水バルブユニット１２６が閉止状態から開かれるときには、入口部１３０につながる第１給水管部３２及び第２給水管部１４８に空気が溜まっていない又は溜まっている量が低減された状態となる。よって、各回（毎回）に、給水バルブユニット１２６がスプレッダ２８への洗浄水の供給を開始した場合に、第１給水管部３２及び／又は第２給水管部１４８内において空気が圧縮されて洗浄水と混合され、スプレッダ２８から洗浄水及び第１給水管部３２及び／又は第２給水管部１４８内に溜まっていた空気が混じりあった状態で吐水されることによる吐水音（例えば、ゴボゴボ等の異音）の発生を抑制することができる。
【００６０】
また、第１給水管接続部分４０が入口部１３０から上流側に向かって下降する流路を形成しているので、給水バルブユニット１２６が閉弁されたとき、第１給水管部３２内に存在する洗浄水が、入口部１３０から上流側において貯水された状態となる。従って、洗浄水が、スプレッダ２８の入口部１３０から徐々に流出して吐水口部３４からの液垂れを生じさせることを防ぐことができる。
また、第２給水管接続部分１５０が入口部１３０から上流側に向かって下降する流路を形成しているので、給水バルブユニット１２６が閉弁されたとき、第２給水管部１４８内に存在する洗浄水が、入口部１３０から上流側において貯水された状態となる。従って、洗浄水が、スプレッダ２８の入口部１３０から徐々に流出して吐水口部３４からの液垂れを生じさせることを防ぐことができる。
【００６１】
また、小便器洗浄動作を開始するために、給水バルブユニット１２６がスプレッダ２８への洗浄水の供給を開始した場合に、第１給水管部３２及び／又は第２給水管部１４８内に溜まっていた空気が圧縮されて、圧縮された空気と洗浄水とが混じりあった状態でスプレッダ２８から吐水されることを防ぐことができ、圧縮された空気がスプレッダ２８から出た瞬間に破裂するように広がり、その破裂に合わせて洗浄水が飛び散って水跳ねが生じることを防ぐことができる。
【００６２】
なお、使用者が小便器装置１０１を使用した後に小便器装置１０１を洗浄する小便器洗浄動作のみならず、制御ユニット３８が、自らの判断に基づいて行うような排水管等の設備を保護するための設備保護洗浄動作においても、給水バルブユニット１２６が閉弁されたとき、同様に、第１給水管部３２及び第２給水管部１４８内に存在する洗浄水が、スプレッダ２８の入口部１３０よりも低い位置に溜まった状態とされる。
【００６３】
次に、上述した本発明の第２実施形態による小便器装置１０１の作用効果を説明する。
上述した本発明の第２実施形態による小便器装置１０１によれば、ボウル部後方収納室２０にボウル部６に洗浄水を供給する自動洗浄ユニット１０４が収納される小便器装置１０１において、給水バルブユニット１２６がスプレッダ２８への洗浄水の供給を停止した後に、第２給水管部１４８が、スプレッダ２８の入口部１３０から上流側に向かって下り傾斜を形成している第２給水管接続部分１５０において、洗浄水を溜めて、空気の流入を防ぐ残水面を形成でき、第２給水管部１４８内に空気が溜まる量を低減することができる。
従って、第２給水管部１４８内に空気が溜まることを抑制できるので、給水バルブユニット１２６がスプレッダ２８への洗浄水の供給を開始した場合に、第２給水管部１４８内の洗浄水及び溜まっていた空気がスプレッダ２８から混じりあった状態で吐水されることによる吐水音の発生を抑制することができる。
また、給水バルブユニット１２６が吐水部への洗浄水の供給を停止した後に、第２給水管部１４８内の洗浄水がスプレッダ２８に徐々に流れて、スプレッダ２８から液垂れを生じることを防止することができる。
【００６４】
本発明の第２実施形態による小便器装置１０１によれば、施工の際等に、第２給水管部１４８を、スプレッダ２８の入口部１３０及び給水バルブユニット１２６と接続することを容易に行うことができる。
【符号の説明】
【００６５】
１      小便器装置
２      便器本体
４      自動洗浄ユニット
６      ボウル部
６ａ    ボウル面
６ｂ    ボウル面下部
７      正面側壁部
７ｂ    上端面
８      排水口部
８ａ    排水口
１０    上蓋
１２    排水トラップ部
１２ａ  下降管路
１２ｂ  管路
１２ｃ  上昇管路
１３    目皿
１４    排水ソケット
１６    排水配管
１８    接続部
２０    ボウル部後方収納室
２２    一次側給水管
２４    止水栓
２６    給水バルブユニット
２８    スプレッダ
２９    電磁弁
３０    入口部
３１    二次側流路
３２    第１給水管部
３３    供給通路
３４    吐水口部
３６    人体検知センサ
３８    制御ユニット
４０    給水管接続部分
４２    最下端部分
４４    貯水部
１０１  小便器装置
１０４  自動洗浄ユニット
１２６  給水バルブユニット
１３０  入口部
１３１  二次側流路
１３３  分岐部
１４６  発電機ユニット
１４８  給水管部
１５０  給水管接続部分
１５２  最下端部分
１５４  貯水部
Ｆ      床面
Ｗ      壁面
ｗ０    溜水
ｗ１    残水
ｗ２    残水
【図１】
2020037863.tif 000003
【図２】
2020037863.tif 000004
【図３】
2020037863.tif 000005
【図４】
2020037863.tif 000006
【図５】
2020037863.tif 000007
【図６】
2020037863.tif 000008
【図７】
2020037863.tif 000009
【図８】
2020037863.tif 000010
【図９】
2020037863.tif 000011
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
使用者の尿を受けるボウル部の上部且つ後方側において、前記ボウル部に洗浄水を供給する機能部材を収納するボウル部後方収納室をボウル部と一体に形成している小便器装置であって、
前記ボウル部の上部において、前記ボウル部後方収納室内から前記ボウル部の表側まで前向きに延び、洗浄水を吐水するための吐水部と、
前記吐水部の入口部に接続され、前記吐水部への洗浄水の流路を形成する第１給水管部と、
洗浄水の吐水を制御する制御ユニットと、を有し、
前記第１給水管部と、前記吐水部の入口部と、前記制御ユニットとが、前記ボウル部後方収納室内に収納され、前記第１給水管部は、正面視で前記ボウル部後方収納室内における前記吐水部を中心とする左右方向の一方側の空間内に配置され、前記制御ユニットは、正面視で前記ボウル部後方収納室内における前記吐水部を中心とする左右方向の他方側の空間内に配置されることを特徴とする小便器装置。
【請求項２】
前記第１給水管部は、前記ボウル部後方収納室内において前記吐水部の入口部から上流側に向けて前記制御ユニットから離れるように延びている、請求項１に記載の小便器装置。
【請求項３】
さらに、前記吐水部への洗浄水の供給及び停止を行う給水バルブ部であって、前記第１給水管部の上流側に接続される前記給水バルブ部を有し、
前記給水バルブ部が、正面視で前記ボウル部後方収納室内における前記一方側の空間内に配置される、請求項１又は２に記載の小便器装置。
【請求項４】
さらに、給水源から洗浄水を供給する一次側給水管と、前記一次側給水管を止水する止水栓とを有し、
前記一次側給水管と、前記止水栓とが、正面視で前記ボウル部後方収納室内における前記一方側の空間内に配置される、請求項３に記載の小便器装置。
【手続補正２】
【補正対象書類名】明細書
【補正対象項目名】全文
【補正方法】変更
【補正の内容】
【発明の詳細な説明】
【技術分野】
【０００１】
本発明は、小便器装置に係り、特に、使用者の尿を受けるボウル部の上部且つ後方側において、ボウル部に洗浄水を供給する機能部材を収納するボウル部後方収納室をボウル部と一体に形成している小便器装置に関する。
【背景技術】
【０００２】
従来から、特許文献１に示されているように、ボウル部の天井部において、壁面から使用者側の前面まで突出するように設けられ、給水バルブ、止水栓、コントローラ、スプレッダ等の機能部を収納する収納室が形成されている小便器装置が知られている。このような小便器装置は、収納室の底面の奥側とボウル部の上部が接続され、スプレッダが収納室の底面の奥側から下向きに配置され、洗浄水をボウル部に吐水するようになっている。
【０００３】
このような小便器装置においては、ボウル部の天井部に収納室が設けられ、スプレッダが収納室の底面に設けられているため、収納室の前面に付着した汚れ等は、スプレッダから吐水された洗浄水で洗浄することができないという欠点がある。このような欠点を解決するために、特許文献２に示されているように、ボウル部を、収納室の下部にもうけられたサブタンクの前面まで形成して、スプレッダを収納室の下部のサブタンクの前面側のボウル部に配置することにより、スプレッダから吐水する水で、収納室の下部の前面側を洗浄しようとするものが知られている。
【先行技術文献】
【特許文献】
【０００４】
【特許文献１】特開２００３−２０７１０号公報
【特許文献２】特開２０１４−７０３７６号公報
【発明の概要】
【発明が解決しようとする課題】
【０００５】
しかしながら、小便器装置の上部に給水バルブ、止水栓、コントローラ、スプレッダ等の機能部を収納する収納室を形成できるスペースは限られており、特に、ボウル部の後方側に機能部全体を収納する収納室を形成しようとする場合には、上述の特許文献１及び２よりもさらに限定されたスペースに各機能部材を配置する必要がある。
【０００６】
そこで、本発明は、従来技術の欠点を解決するためになされたものであり、ボウル部後方収納室にボウル部に洗浄水を供給する機能部材が収納される小便器装置を提供することを目的としている。
【課題を解決するための手段】
【０００７】
上記の目的を達成するために、本発明は、使用者の尿を受けるボウル部の上部且つ後方側において、前記ボウル部に洗浄水を供給する機能部材を収納するボウル部後方収納室をボウル部と一体に形成している小便器装置であって、前記ボウル部の上部において、前記ボウル部後方収納室内から前記ボウル部の表側まで前向きに延び、洗浄水を吐水するための吐水部と、前記吐水部の入口部に接続され、前記吐水部への洗浄水の流路を形成する第１給水管部と、洗浄水の吐水を制御する制御ユニットと、を有し、前記第１給水管部と、前記吐水部の入口部と、前記制御ユニットとが、前記ボウル部後方収納室内に収納され、前記第１給水管部は、正面視で前記ボウル部後方収納室内における前記吐水部を中心とする左右方向の一方側の空間内に配置され、前記制御ユニットは、正面視で前記ボウル部後方収納室内における前記吐水部を中心とする左右方向の他方側の空間内に配置されることを特徴としている。
【０００８】
本発明において、好ましくは、前記第１給水管部は、前記ボウル部後方収納室内において前記吐水部の入口部から上流側に向けて前記制御ユニットから離れるように延びている。
【０００９】
本発明において、好ましくは、さらに、前記吐水部への洗浄水の供給及び停止を行う給水バルブ部であって、前記第１給水管部の上流側に接続される前記給水バルブ部を有し、前記給水バルブ部が、正面視で前記ボウル部後方収納室内における前記一方側の空間内に配置される。
【００１０】
本発明において、好ましくは、さらに、給水源から洗浄水を供給する一次側給水管と、前記一次側給水管を止水する止水栓とを有し、前記一次側給水管と、前記止水栓とが、正面視で前記ボウル部後方収納室内における前記一方側の空間内に配置される。
【発明の効果】
【００１１】
本発明の小便器装置によれば、ボウル部後方収納室にボウル部に洗浄水を供給する機能部材が収納されることができる。
【図面の簡単な説明】
【００１２】
【図１】本発明の第１実施形態による小便器装置を示す正面図である。
【図２】図１のＩＩ−ＩＩ線に沿って見た本発明の第１実施形態による小便器装置の便器本体の側面断面図である。
【図３】本発明の第１実施形態による小便器装置の便器本体に内蔵されている自動洗浄ユニットについて上蓋を取り外した状態で斜め前方から見た斜視図である。
【図４】本発明の第１実施形態による小便器装置の便器本体に内蔵されている自動洗浄ユニットの正面図である。
【図５】図４のＶ−Ｖ線に沿って見た本発明の第１実施形態による小便器装置の自動洗浄ユニットのスプレッダの側面断面図である。
【図６】本発明の第２実施形態による小便器装置の便器本体に内蔵されている自動洗浄ユニットについて上蓋を取り外した状態で斜め前方から見た斜視図である。
【図７】本発明の第２実施形態による小便器装置の便器本体に内蔵されている自動洗浄ユニットの正面図である。
【図８】本発明の第２実施形態による小便器装置の便器本体に内蔵されている自動洗浄ユニットを斜め後方から見た斜視図である。
【図９】図７のＩＸ−ＩＸ線に沿って見た本発明の第２実施形態による小便器装置の自動洗浄ユニットのスプレッダの側面断面図である。
【発明を実施するための形態】
【００１３】
添付図面を参照して、本発明の第１実施形態による小便器装置を説明する。先ず、図１及び図２により小便器の基本構造を説明する。図１は、本発明の第１実施形態による小便器装置を示す正面図であり、図２は、図１のＩＩ−ＩＩ線に沿って見た本発明の第１実施形態による小便器装置の便器本体の側面断面図である。
【００１４】
図１及び図２に示すように、符号１は、本発明の第１実施形態による小便器装置を示し、この小便器装置１は、背後の壁面Ｗに取付けられる壁掛け式の小便器装置であり、陶器製の便器本体２を備えており、この便器本体２は、その背後の壁面Ｗに取付けられた状態で便器本体２の最下部が床面Ｆよりも上方に位置している。また、小便器装置１は、便器本体２を洗浄するための洗浄水を吐水する吐水機能を備えた機能部である自動洗浄ユニット４を備えている。
なお、本実施形態の小便器装置１については、便器本体２の最下部が床面Ｆよりも上方に位置するように背後の壁面Ｗに取付けられる壁掛け式の小便器装置の例について説明するが、便器本体２の最下部が床面上に直接配置される床置き式の小便器装置であってもよい。以下、小便器装置１の正面側を前方側、その背面側を後方側（奥側）、小便器装置１の正面から見て左側を左側、小便器装置１の正面から見て右側を右側として説明する。
【００１５】
つぎに、図２に示すように、便器本体２は、正面側に形成されるボウル部６と、このボウル部６の底部に形成された排水口部８を備えている。この排水口部８の下方には、排水口８ａが形成されている。
また、図２に示すように、ボウル部６は、その上端から下部に亘って下方ほど内側且つ奥行側（後方側）に位置するボウル面６ａを形成している。そして、このボウル面６ａの上下方向の中央付近から下方に形成されるボウル面下部６ｂは、後方側に向かって緩やかに湾曲状に張り出すような湾曲面を形成し、その下方且つ前方側の排水口部８まで延びた後、この排水口部８から排水口８ａに向かって緩やかな下り傾斜するように形成している。このようなボウル面下部６ｂにより、ボウル部６内の奥行空間が後方側に奥まっており、前後方向に広くなっている。そして、ボウル部６は、正面側壁部７の上端面７ｂからボウル面下部６ｂの上方のボウル面６ａを経てボウル面下部６ｂに亘って連続した曲面形状となっている。すなわち、正面側壁部７の上端面７ｂが便器本体２の頂部まで形成されている。
さらに、便器本体２のボウル部６のボウル面６ａを正面側に形成する正面側壁部７の背面側（裏側）且つ上方には、自動洗浄ユニット４が概ね収納されるボウル部後方収納室２０が形成されている。このボウル部後方収納室２０の上方には、上蓋１０が便器本体２に対して上方から着脱可能に取り付けられている。ボウル部後方収納室２０は、ボウル面６ａと壁面Ｗとの間に形成される収納室である。
【００１６】
つぎに、便器本体２は、排水口８ａの下方に設けられた排水トラップ部１２と、排水口８ａに上方から取り付けられてボウル部６内と排水トラップ部１２内とを連通させる目皿１３を備えており、この排水トラップ部１２は、排水口８ａよりも下方（下流側）に溜水ｗ０を貯留して封水を形成するようになっている。
また、図２に示すように、排水トラップ部１２は、上端に位置する排水口８ａから下方に延びる下降管路１２ａと、この下降管路１２ａの下端から後方側に湾曲するように形成された後、その後上方に向かって湾曲するように形成される横引き管路１２ｂと、この横引き管路１２ｂの上端から後方側の斜め上方に延びるように形成された上昇管路１２ｃを備えている。
さらに、図２に示すように、便器本体２は、排水トラップ部１２の上昇管路１２ｃの後方側（下流側）に設けられ且つその後端（下流側端部）が排水ソケット１４を介して便器本体２の外部の排水配管１６に接続される接続部１８を備えている。
なお、本実施形態では、排水ソケット１４については省略し、接続部１８の後端と排水配管１６とを直接的に接続するようにしてもよい。
【００１７】
次に、図１乃至図５を参照して、本発明の第１実施形態による小便器装置１の便器本体２においてボウル部６と一体に形成されているボウル部後方収納室２０と、ボウル部後方収納室２０内の比較的小さな空間に内蔵される自動洗浄ユニット４とについて説明する。
図３は、本発明の第１実施形態による小便器装置の便器本体に内蔵されている自動洗浄ユニットについて上蓋を取り外した状態で斜め前方から見た斜視図であり、図４は本発明の第１実施形態による小便器装置の便器本体に内蔵されている自動洗浄ユニットの正面図であり、図５は図４のＶ−Ｖ線に沿って見た本発明の第１実施形態による小便器装置の自動洗浄ユニットのスプレッダの側面断面図である。
【００１８】
ボウル部後方収納室２０は、使用者の尿を受けるボウル部６のさらに上方側に配置されるのではなく、使用者の尿を受けるボウル部６の正面側壁部７の後方側（裏側）において、ボウル部６に洗浄水を供給する機能部材を正面側壁部７の裏側に隠れるように収納するように形成されている。このように、ボウル部後方収納室２０は、ボウル部６と、背後の壁面Ｗとの間の隙間に形成された比較的狭い領域において、小便器装置１の洗浄動作に必要な自動洗浄ユニット４（機能部材）を収納できるようにコンパクトに形成されている。このようなボウル部後方収納室２０の前面は、正面側壁部７によって形成されている。正面側壁部７は、自身の上部に対して自身の下部が後方側に位置しており、やや下方向きの傾きを有している。
【００１９】
ボウル部後方収納室２０に収納される自動洗浄ユニット４は、水道等の給水源から洗浄水を供給する一次側給水管２２と、一次側給水管２２を止水する止水栓２４と、止水栓２４の下流側に設けられて一次側給水管２２を開閉する給水バルブユニット２６と、ボウル部６の上部の正面側壁部７に配置され給水バルブユニット２６から供給される洗浄水をボウル部６に吐水する吐水部であるスプレッダ（給水手段）２８と、スプレッダ２８の入口部３０と給水バルブユニット２６とを接続する第１給水管部３２とを備えている。
【００２０】
給水バルブユニット２６は、一次側給水管２２と二次側の給水管との間の流路を電気的に開閉できる電磁弁２９と、電磁弁から下方に延びる二次側流路３１とを有している。二次側流路３１は、後述する大気開放側の第１給水管部３２及びスプレッダ２８と連通している。
給水バルブユニット２６は、ボウル部後方収納室２０の比較的小さく限られた空間の中で、スプレッダ２８の後方側且つ右側にずれた位置に配置されている。電磁弁２９は、スプレッダ２８の高さとほぼ同様の高さに配置されている。二次側流路３１は、電磁弁２９から下方に延び、給水バルブユニット２６の二次側流路３１と第１給水管部３２との接続部が入口部３０の高さより低い位置に配置されている。電磁弁２９は、スプレッダ２８と比較的近い位置に配置されているが、二次側流路３１は電磁弁２９と、スプレッダ２８とを結ぶ最短距離の方向に延びておらず、下方に向かって延びている。
なお、本実施形態においては、給水バルブユニット２６の電磁弁２９は、スプレッダ２８の高さとほぼ同様の高さに配置されているが、スプレッダ２８の高さより低い高さに配置されていてもよく、また、スプレッダ２８の高さより高い高さに配置されていてもよい。
【００２１】
スプレッダ２８は、ボウル部後方収納室２０内に配置される洗浄水の入口部３０と、ボウル部６の正面側壁部７の裏側から表側まで直線的に延びている供給通路３３と、供給通路３３から供給される洗浄水をボウル部６の表面に沿わせ且つ拡散するように吐水する吐水口部３４と、を備えている。
また、スプレッダ２８には、ボウル部６の前面に向けられ、使用者の有無を検知する人体検知センサ３６が取付けられている。
【００２２】
自動洗浄ユニット４は、さらに、人体検知センサ３６からの検知信号及び所定の制御プログラム等に基づいて給水バルブユニット２６等を電気的に制御することができる制御ユニット３８を備えている。
制御ユニット３８は、人体検知センサ３６からの検知信号及び所定の制御プログラム等に基づいて、給水バルブユニット２６を開閉制御し、洗浄水をスプレッダ２８からボウル部６に吐水させるようになっている。制御ユニット３８も、ボウル部後方収納室２０の比較的小さく限られた空間内に収納されている。
【００２３】
第１給水管部３２は、スプレッダ２８の入口部３０と給水バルブユニット２６との間で、スプレッダ２８の入口部３０の高さより低い高さの流路を少なくとも一部有している。より具体的には、入口部３０と電磁弁２９との間で、スプレッダ２８の入口部３０の高さより低い高さの流路を少なくとも一部有している。なお、給水バルブユニット２６の電磁弁２９は、入口部３０より高い位置に配置されていてもよく、その場合には、第１給水管部３２は、入口部３０より高い位置に配置された給水バルブユニット２６まで接続され、このとき、第１給水管部３２は、入口部３０と電磁弁２９との間で、スプレッダ２８の入口部３０の高さより低い高さの流路を少なくとも一部有するように形成される。
【００２４】
第１給水管部３２は、スプレッダ２８の入口部３０と接続され、スプレッダ２８の入口部３０から上流側（給水バルブユニット２６側）に向かって下り傾斜の流路を形成している第１給水管接続部分４０と、第１給水管部３２の最下端部分の流路を形成している最下端部分４２と、を有している。第１給水管部３２の最下端部分４２は、スプレッダ２８の入口部３０よりも低い位置に配置されている。さらに、第１給水管部３２の最下端部分４２は、給水バルブユニット２６よりも低い位置に配置されている。
【００２５】
第１給水管部３２は、接続される入口部３０のすぐ上流側近傍から下降する流路を形成しているので、電磁弁２９からの洗浄水の供給が停止されるとき、スプレッダ２８の入口部３０より上流側に存在する洗浄水は、そのまま第１給水管部３２内に貯水された状態となる。すなわち、便器本体２への吐水が停止された状態で、洗浄水が、第１給水管部３２内において、スプレッダ２８の入口部３０の高さの水平な面より下方に溜まっている状態となる。このように、第１給水管部３２は、給水バルブユニット２６と、スプレッダ２８の入口部３０との間において、給水バルブユニット２６の閉止後に、入口部３０の直前の上流側に、空気の流入を防ぐ残水ｗ１の貯水面を形成できる貯水部４４を形成している。すなわち、入口部３０の直前において、入口部３０の底の高さの水面が形成される。よっ、空気がスプレッダ２８の外部から第１給水管部３２内に流入し、空気が第１給水管部３２内に溜まることを抑制することができる。他の言い方によれば、第１給水管部３２の残水ｗ１の貯水面より上流側を水で満たすことができる。
【００２６】
第１給水管部３２は、例えばホース、可撓性のゴム管等の部材により可撓性を有するように形成され、入口部３０から給水バルブユニット２６まで湾曲しながら延びている。第１給水管部３２は、直線部を有していてもよいし、全て曲線部により形成されていてもよい。第１給水管部３２の流路形状は自在に変更することができる。本実施形態においては、第１給水管部３２は、その全部がスプレッダ２８の入口部３０よりも低い位置に配置されている。
【００２７】
なお、従来においては、特許文献２に示すように、スプレッダを下方向きに形成されているボウル面に配置しようとする場合、スプレッダに接続される給水管を、ボウル面に対して垂直に後方上方に向かって形成し、洗浄水が給水管において滑らかに加速しながらスプレッダに対して流下し、スプレッダから広げられるように吐水されるようになっていた。
これに対し、本発明においては、下方向きに傾斜されている正面側壁部７に沿って吐水できるように配置されているスプレッダ２８に対し、第１給水管部３２を、下方から上昇させながら接続し、スプレッダ２８の入口部３０から上流側に向かって下降する流路を形成している。従って、本発明においては、スプレッダ２８の入口部３０の近傍まで、上述するように残水を溜めることができるようになっている。
【００２８】
次に、図１乃至図５により、本発明の第１実施形態による動作（作用）について説明する。
待機状態において、通常、使用者が放尿するために便器本体２の前に立つとき、人体検知センサ３６が使用者の存在を検出して検出情報を制御ユニット３８に送り、制御ユニット３８は使用者の存在を認識する。図４に示すように、使用者が放尿する前の待機状態においては第１給水管部３２内には洗浄水がスプレッダ２８の入口部３０の高さまで残水ｗ１として存在している状態になっている。
使用者が便器本体２のボウル部６に放尿を行うとき、尿がボウル部６から排水トラップ部１２内に流れ込む。
【００２９】
使用者が便器本体２のボウル部６に放尿を終え、放尿を済ませた使用者が便器本体２の前から立ち去るときに、人体検知センサ３６が使用者の存在を検出しなくなる状態に変化する。人体検知センサ３６が一定時間以上の間検出状態を継続した後に非検出状態に変わると、制御ユニット３８は使用者が便器本体２から立ち去ったと認識して、小便洗浄動作を開始する。
【００３０】
制御ユニット３８は、給水バルブユニット２６に制御信号を送って給水バルブユニット２６を開き、先に決定した量の洗浄水をスプレッダ２８からボウル部６に吐水させる。このとき、給水バルブユニット２６が開かれる前の状態において、すでに、洗浄水が、第１給水管部３２内の第１給水管接続部分４０に、スプレッダ２８の入口部３０の高さまで溜まった状態となり貯水部４４を形成している状態となっている。従って、給水バルブユニット２６が開かれたときに、入口部３０につながる第１給水管部３２に空気が溜まっていない又は溜まっている空気量が低減された状態となっている。よって、給水バルブユニット２６がスプレッダ２８への洗浄水の供給を開始した場合に、スプレッダ２８から洗浄水及び第１給水管部３２内に溜まっていた空気が混じりあった状態で吐水されることによる吐水音（例えば、ゴボゴボ等の異音）の発生を抑制することができる。
【００３１】
洗浄水は、スプレッダ２８からボウル部６に吐水され、ボウル部６を洗浄し且つ排水トラップ部１２内の尿を排出する。制御ユニット３８は、予め決められた所定時間にわたって給水バルブユニット２６を開弁し、予め決められた所定量の洗浄水をスプレッダ２８から吐水させる。制御ユニット３８は、所定時間経過後、給水バルブユニット２６を閉弁し、小便洗浄動作を終了させる。給水バルブユニット２６が閉弁されると、洗浄水の吐水が終了されて待機状態に戻る。
【００３２】
給水バルブユニット２６が閉弁されると、第１給水管部３２内における洗浄水は、スプレッダ２８の入口部３０よりも低い位置に溜まった状態（残水ｗ１に示すような、残水の存在している状態）となる。すなわち、洗浄水が、第１給水管部３２内の第１給水管接続部分４０に、スプレッダ２８の入口部３０の高さまで溜まった状態となり貯水部４４を形成している状態となる。従って、第１給水管部３２内が大気開放されて第１給水管部３２内に空気が多く溜まった状態となることを防ぐことができる。第１給水管部３２内においては、入口部３０につながる第１給水管部３２に空気が溜まっていない又は溜まっている量が低減された状態となっており、第１給水管部３２内に溜まる空気の量が低減されている。
従って、各回の小便器洗浄動作のために、給水バルブユニット２６が閉止状態から開かれるときには、入口部３０につながる第１給水管部３２に空気が溜まっていない又は溜まっている量が低減された状態となる。よって、各回（毎回）に、給水バルブユニット２６がスプレッダ２８への洗浄水の供給を開始した場合に、第１給水管部３２内において空気が圧縮されて洗浄水と混合され、スプレッダ２８から洗浄水及び空気とが混じりあった状態で吐水されることによる吐水音（例えば、ゴボゴボ等の異音）の発生を抑制することができる。
【００３３】
また、第１給水管接続部分４０が入口部３０から上流側に向かって下降する流路を形成しているので、給水バルブユニット２６が閉弁されたとき、第１給水管部３２内に存在する洗浄水が、入口部３０から上流側において貯水された状態となる。従って、洗浄水が、スプレッダ２８の入口部３０から徐々に流出して吐水口部３４からの液垂れを生じさせることを防ぐことができる。
【００３４】
また、小便器洗浄動作を開始するために、給水バルブユニット２６がスプレッダ２８への洗浄水の供給を開始した場合に、第１給水管部３２内に溜まっていた空気が圧縮されて、圧縮された空気と洗浄水とが混じりあった状態でスプレッダ２８から吐水されることを防ぐことができ、圧縮された空気がスプレッダ２８から出た瞬間に爆発的に広がり、その爆発的な広がりよって洗浄水が飛び散って水跳ねが生じることを防ぐことができる。
【００３５】
なお、使用者が小便器装置１を使用した後に小便器装置を洗浄する小便器洗浄動作のみならず、制御ユニット３８が、自らの判断に基づいて行うような排水管等の設備を保護するための設備保護洗浄動作においても、給水バルブユニット２６が閉弁されたとき、同様に、第１給水管部３２内に存在する洗浄水が、スプレッダ２８の入口部３０よりも低い位置に溜まった状態とされる。
【００３６】
次に、上述した本発明の第１実施形態による小便器装置１の作用効果を説明する。
上述した本発明の第１実施形態による小便器装置１によれば、ボウル部後方収納室２０にボウル部６に洗浄水を供給する自動洗浄ユニット４が収納される小便器装置１において、給水バルブユニット２６がスプレッダ２８への洗浄水の供給を停止した後に、第１給水管部３２の、スプレッダ２８の入口部３０から上流側に向かって下り傾斜を形成している第１給水管接続部分４０において、洗浄水を溜めて、空気の流入を防ぐ残水ｗ１の残水面を形成でき、第１給水管部３２内に空気が溜まる量を低減することができる。
従って、第１給水管部３２内に空気が溜まることを抑制できるので、給水バルブユニット２６がスプレッダ２８への洗浄水の供給を開始した場合に、第１給水管部３２内の洗浄水及び溜まっていた空気がスプレッダ２８から混じりあった状態で吐水されることによる吐水音の発生を抑制することができる。
また、給水バルブユニット２６がスプレッダ２８への洗浄水の供給を停止した後に、第１給水管部３２内の洗浄水がスプレッダ２８に徐々に流れて、スプレッダ２８から液垂れを生じることを防止することができる。
【００３７】
本発明の第１実施形態による小便器装置１によれば、給水バルブユニット２６がスプレッダ２８への洗浄水の供給を停止した後に、第１給水管部３２が、スプレッダ２８の入口部３０よりも低い位置に配置されている第１給水管部３２の全部において洗浄水を溜めて、第１給水管部３２内に空気が溜まる量をさらに低減することができる。
従って、第１給水管部３２内に空気が溜まる量をさらに抑制できるので、給水バルブユニット２６がスプレッダ２８への洗浄水の供給を開始した場合に、第１給水管部３２内の洗浄水及び溜まっていた空気がスプレッダ２８から混じりあった状態で吐水されることによる吐水音の発生を抑制することができる。
また、給水バルブユニット２６がスプレッダ２８への洗浄水の供給を停止した後に、第１給水管部３２内の洗浄水がスプレッダ２８に徐々に流れて、スプレッダ２８から液垂れを生じることを防止することができる。
【００３８】
本発明の第１実施形態による小便器装置１によれば、施工の際等に、第１給水管部３２を、スプレッダ２８の入口部３０及び給水バルブユニット２６と接続することを容易に行うことができる。
【００３９】
次に、図６乃至図９を参照して、本発明の第２実施形態による小便器装置について説明する。本実施形態の小便器装置は、発電機ユニット及び発電機ユニットのための流路が上述した第１実施形態とは異なる。ここでは、本発明の第２実施形態の第１実施形態とは異なる点のみを説明し、同様な部分については図面に同じ参照符号を付して説明を省略する。
【００４０】
図６は、本発明の第２実施形態による小便器装置の便器本体に内蔵されている自動洗浄ユニットについて上蓋を取り外した状態で斜め前方から見た斜視図であり、図７は本発明の第２実施形態による小便器装置の便器本体に内蔵されている自動洗浄ユニットの正面図であり、図８は本発明の第２実施形態による小便器装置の便器本体に内蔵されている自動洗浄ユニットを斜め後方から見た斜視図であり、図９は図７のＩＸ−ＩＸ線に沿って見た本発明の第２実施形態による小便器装置の自動洗浄ユニットのスプレッダの側面断面図である。
【００４１】
本発明の第２実施形態による小便器装置１０１において、ボウル部後方収納室２０に収納される自動洗浄ユニット１０４は、水道等の給水源から洗浄水を供給する一次側給水管２２と、一次側給水管２２を止水する止水栓２４と、止水栓２４の下流側に設けられて一次側給水管２２を開閉する給水バルブユニット１２６と、ボウル部６の上部の正面側壁部７に配置され給水バルブユニット１２６から供給される洗浄水をボウル部６に吐水する吐水部であるスプレッダ（給水手段）２８と、スプレッダ２８の入口部３０と給水バルブユニット１２６とを接続する第１給水管部３２と、ボウル部後方収納室２０内に配置され、給水バルブユニット１２６の二次側流路１３１から第１給水管部３２側の流路とは分岐した別の流路に接続される発電機ユニット１４６と、スプレッダ２８の入口部１３０と、発電機ユニット１４６とを接続する第２給水管部１４８と、を有している。
【００４２】
スプレッダ２８は、ボウル部後方収納室２０内に配置される洗浄水の入口部１３０を備えている。入口部１３０には、第１給水管部３２が側方下方から接続され、第２給水管部１４８が後方下方から接続されるようになっている。
【００４３】
給水バルブユニット１２６は、一次側給水管２２と二次側の給水管との間の流路を電気的に開閉できる電磁弁２９と、電磁弁２９から下方に延びる二次側流路１３１とを有している。給水バルブユニット１２６は、給水バルブユニット１２６の二次側流路１３１において流路が分岐する分岐部１３３を有し、分岐した流路がそれぞれ、第１給水管部３２と、発電機ユニット１４６とに接続されている。すなわち、二次側流路１３１は、一方が、後述する大気開放側の第１給水管部３２及びスプレッダ２８と連通し、他方が、大気開放側の発電機ユニット１４６と接続されている。二次側流路１３１は、電磁弁２９から下方に延び、給水バルブユニット１２６の二次側流路１３１と第１給水管部３２との接続部、及び、二次側流路１３１と発電機ユニット１４６との接続部が入口部１３０の高さより低い位置に配置されている。
【００４４】
発電機ユニット１４６は、内部に発電用の羽根車（図示せず）を有し、流路内を通過する水流により羽根車を回転させて電気を発電するようになっている。発電機ユニット１４６は、発電した電気を電磁弁２９、制御ユニット３８、人体検知センサ３６等に供給する。電磁弁２９、制御ユニット３８、人体検知センサ３６等は、この供給された電気により動作することができる。
【００４５】
第２給水管部１４８は、スプレッダ２８の入口部１３０と給水バルブユニット１２６との間で、スプレッダ２８の入口部１３０の高さより低い高さの流路を少なくとも一部有している。より具体的には、入口部１３０と電磁弁２９との間で、スプレッダ２８の入口部１３０の高さより低い高さの流路を少なくとも一部有している。なお、給水バルブユニット１２６の電磁弁２９は、入口部１３０より高い位置に配置されていてもよく、その場合には、第２給水管部１４８は、入口部１３０より高い位置に配置された給水バルブユニット１２６まで接続され、このとき、第２給水管部１４８は、入口部１３０と電磁弁２９との間で、スプレッダ２８の入口部１３０の高さより低い高さの流路を少なくとも一部有するように形成される。
【００４６】
第２給水管部１４８は、スプレッダ２８の入口部１３０と発電機ユニット１４６とを接続し、スプレッダ２８の入口部１３０から上流側（発電機ユニット１４６側）に向かって下り傾斜の流路を形成している第２給水管接続部分１５０と、第２給水管部１４８の最下端部分の流路を形成している最下端部分１５２と、を有している。第２給水管部１４８の最下端部分１５２は、スプレッダ２８の入口部１３０よりも低い位置に配置されている。さらに、第２給水管部１４８の最下端部分１５２は、給水バルブユニット１２６よりも低い位置に配置されている。
【００４７】
第２給水管部１４８は、接続される入口部１３０のすぐ上流側近傍から下降する流路を形成しているので、電磁弁２９からの洗浄水の供給が停止されるとき、スプレッダ２８の入口部１３０より上流側に存在する洗浄水は、そのまま第２給水管部１４８内に貯水された状態となる。すなわち、小便器装置１０１の吐水が停止された状態で、洗浄水が、第２給水管部１４８内において、スプレッダ２８の入口部１３０の高さの水平な面より下方に溜まっている状態となる。このように、第２給水管部１４８は、発電機ユニット１４６と、スプレッダ２８の入口部１３０との間において、給水バルブユニット１２６の閉止後に、入口部１３０の直前の上流側に、空気の流入を防ぐ残水ｗ２の貯水面を形成できる貯水部１５４を形成している。よって、入口部１３０の近傍において、第２給水管部１４８内に、空気が流入する又は溜まることを抑制することができる。
【００４８】
第２給水管部１４８は、可撓性を有するように形成され、入口部１３０から発電機ユニット１４６まで湾曲しながら延びている。第２給水管部１４８の流路形状は自在に変更することができる。本実施形態においては、第２給水管部１４８は、その全部がスプレッダ２８の入口部１３０よりも低い位置に配置されている。
【００４９】
次に、図６乃至図９により、本発明の第２実施形態による小便器装置の動作（作用）について説明する。ここでは、本発明の第２実施形態の第１実施形態とは異なる点のみを説明し、同様な部分については図面に同じ参照符号を付して説明を省略する。
【００５０】
図６乃至図９に示すように、使用者が放尿する前の待機状態においては第１給水管部３２内には洗浄水がスプレッダ２８の入口部１３０の高さまで残水ｗ１として存在している状態になっており、第２給水管部１４８内には洗浄水がスプレッダ２８の入口部１３０の高さまで残水ｗ２として存在している状態になっている。
【００５１】
使用者が便器本体２のボウル部６に放尿を終え、放尿を済ませた使用者が便器本体２の前から立ち去った一定の場合に、制御ユニット３８は使用者が便器本体２から立ち去ったと認識して、小便洗浄動作を開始する。
【００５２】
制御ユニット３８は、給水バルブユニット１２６に制御信号を送って給水バルブユニット１２６の電磁弁２９を開き、先に決定した量の洗浄水をスプレッダ２８からボウル部６に吐水させる。
このとき、電磁弁２９が開かれる前の状態において、すでに、洗浄水が、第１給水管部３２内の第１給水管接続部分４０において、スプレッダ２８の入口部１３０の高さまで溜まった状態となり貯水部４４を形成している状態となっている。また、洗浄水が、第２給水管部１４８内の第２給水管接続部分１５０において、スプレッダ２８の入口部１３０の高さまで溜まった状態となり貯水部４４を形成している状態となっている。従って、入口部１３０につながる第１給水管部３２及び第２給水管部１４８のいずれにも空気が溜まっていない又は溜まっている量が低減された状態となっている。
よって、給水バルブユニット１２６がスプレッダ２８への洗浄水の供給を開始した場合に、スプレッダ２８から洗浄水及び第１給水管部３２内及び第２給水管部１４８内に溜まっていた空気が混じりあった状態で吐水されることによる吐水音（例えば、ゴボゴボ等の異音）の発生を抑制することができる。
【００５３】
制御ユニット３８は、予め決められた所定時間にわたって給水バルブユニット１２６を開弁し、予め決められた所定量の洗浄水をスプレッダ２８から吐水させる。制御ユニット３８は、所定時間経過後、給水バルブユニット１２６を閉弁し、小便洗浄動作を終了させる。給水バルブユニット１２６が閉弁されると、洗浄水の吐水が終了されて待機状態に戻る。
【００５４】
給水バルブユニット１２６が閉弁されると、第１給水管部３２内における洗浄水は、スプレッダ２８の入口部１３０よりも低い位置に溜まった状態（残水ｗ１に示すような、残水の存在している状態）となる。すなわち、洗浄水が、第１給水管部３２内の第１給水管接続部分４０に、スプレッダ２８の入口部１３０の高さまで溜まった状態となり貯水部４４を形成している状態となる。従って、第１給水管部３２内が大気開放されて第１給水管部３２内に空気が多く溜まった状態となることを防ぐことができる。第１給水管部３２内においては、入口部１３０につながる第１給水管部３２に空気が溜まっていない又は溜まっている量が低減された状態となっており、第１給水管部３２内に溜まる空気の量が低減されている。
また、第２給水管部１４８内における洗浄水は、スプレッダ２８の入口部１３０よりも低い位置に溜まった状態（残水ｗ２に示すような、残水の存在している状態）となる。すなわち、洗浄水が、第２給水管部１４８内の第２給水管接続部分１５０に、スプレッダ２８の入口部１３０の高さまで溜まった状態となり貯水部１５４を形成している状態となる。従って、第２給水管部１４８内が大気開放されて第２給水管部１４８内に空気が多く溜まった状態となることを防ぐことができる。第２給水管部１４８内においては、入口部１３０につながる第２給水管部１４８に空気が溜まっていない又は溜まっている量が低減された状態となっており、第２給水管部１４８内に溜まる空気の量が低減されている。
【００５５】
従って、各回の小便器洗浄動作のために、給水バルブユニット１２６が閉止状態から開かれるときには、入口部１３０につながる第１給水管部３２及び第２給水管部１４８に空気が溜まっていない又は溜まっている量が低減された状態となる。よって、各回（毎回）に、給水バルブユニット１２６がスプレッダ２８への洗浄水の供給を開始した場合に、第１給水管部３２及び／又は第２給水管部１４８内において空気が圧縮されて洗浄水と混合され、スプレッダ２８から洗浄水及び第１給水管部３２及び／又は第２給水管部１４８内に溜まっていた空気が混じりあった状態で吐水されることによる吐水音（例えば、ゴボゴボ等の異音）の発生を抑制することができる。
【００５６】
また、第１給水管接続部分４０が入口部１３０から上流側に向かって下降する流路を形成しているので、給水バルブユニット１２６が閉弁されたとき、第１給水管部３２内に存在する洗浄水が、入口部１３０から上流側において貯水された状態となる。従って、洗浄水が、スプレッダ２８の入口部１３０から徐々に流出して吐水口部３４からの液垂れを生じさせることを防ぐことができる。
また、第２給水管接続部分１５０が入口部１３０から上流側に向かって下降する流路を形成しているので、給水バルブユニット１２６が閉弁されたとき、第２給水管部１４８内に存在する洗浄水が、入口部１３０から上流側において貯水された状態となる。従って、洗浄水が、スプレッダ２８の入口部１３０から徐々に流出して吐水口部３４からの液垂れを生じさせることを防ぐことができる。
【００５７】
また、小便器洗浄動作を開始するために、給水バルブユニット１２６がスプレッダ２８への洗浄水の供給を開始した場合に、第１給水管部３２及び／又は第２給水管部１４８内に溜まっていた空気が圧縮されて、圧縮された空気と洗浄水とが混じりあった状態でスプレッダ２８から吐水されることを防ぐことができ、圧縮された空気がスプレッダ２８から出た瞬間に破裂するように広がり、その破裂に合わせて洗浄水が飛び散って水跳ねが生じることを防ぐことができる。
【００５８】
なお、使用者が小便器装置１０１を使用した後に小便器装置１０１を洗浄する小便器洗浄動作のみならず、制御ユニット３８が、自らの判断に基づいて行うような排水管等の設備を保護するための設備保護洗浄動作においても、給水バルブユニット１２６が閉弁されたとき、同様に、第１給水管部３２及び第２給水管部１４８内に存在する洗浄水が、スプレッダ２８の入口部１３０よりも低い位置に溜まった状態とされる。
【００５９】
次に、上述した本発明の第２実施形態による小便器装置１０１の作用効果を説明する。
上述した本発明の第２実施形態による小便器装置１０１によれば、ボウル部後方収納室２０にボウル部６に洗浄水を供給する自動洗浄ユニット１０４が収納される小便器装置１０１において、給水バルブユニット１２６がスプレッダ２８への洗浄水の供給を停止した後に、第２給水管部１４８が、スプレッダ２８の入口部１３０から上流側に向かって下り傾斜を形成している第２給水管接続部分１５０において、洗浄水を溜めて、空気の流入を防ぐ残水面を形成でき、第２給水管部１４８内に空気が溜まる量を低減することができる。
従って、第２給水管部１４８内に空気が溜まることを抑制できるので、給水バルブユニット１２６がスプレッダ２８への洗浄水の供給を開始した場合に、第２給水管部１４８内の洗浄水及び溜まっていた空気がスプレッダ２８から混じりあった状態で吐水されることによる吐水音の発生を抑制することができる。
また、給水バルブユニット１２６が吐水部への洗浄水の供給を停止した後に、第２給水管部１４８内の洗浄水がスプレッダ２８に徐々に流れて、スプレッダ２８から液垂れを生じることを防止することができる。
【００６０】
本発明の第２実施形態による小便器装置１０１によれば、施工の際等に、第２給水管部１４８を、スプレッダ２８の入口部１３０及び給水バルブユニット１２６と接続することを容易に行うことができる。
【符号の説明】
【００６１】
１      小便器装置
２      便器本体
４      自動洗浄ユニット
６      ボウル部
６ａ    ボウル面
６ｂ    ボウル面下部
７      正面側壁部
７ｂ    上端面
８      排水口部
８ａ    排水口
１０    上蓋
１２    排水トラップ部
１２ａ  下降管路
１２ｂ  管路
１２ｃ  上昇管路
１３    目皿
１４    排水ソケット
１６    排水配管
１８    接続部
２０    ボウル部後方収納室
２２    一次側給水管
２４    止水栓
２６    給水バルブユニット
２８    スプレッダ
２９    電磁弁
３０    入口部
３１    二次側流路
３２    第１給水管部
３３    供給通路
３４    吐水口部
３６    人体検知センサ
３８    制御ユニット
４０    給水管接続部分
４２    最下端部分
４４    貯水部
１０１  小便器装置
１０４  自動洗浄ユニット
１２６  給水バルブユニット
１３０  入口部
１３１  二次側流路
１３３  分岐部
１４６  発電機ユニット
１４８  給水管部
１５０  給水管接続部分
１５２  最下端部分
１５４  貯水部
Ｆ      床面
Ｗ      壁面
ｗ０    溜水
ｗ１    残水
ｗ２    残水